(57)【要約】      （修正有）【課題】空間利用率が高く、殺菌し、異臭を除去することができる知能型家用靴箱を提供する。【解決手段】ケースの中には、複数の回転軸によって固定される靴棚部品を設置し、前記靴棚部品には、少なくとも二つの靴棚を含めて、靴棚は靴棚台座４１と、靴棚天板４２と、支持板４３とを備え、靴棚天板と靴棚台座の間に、靴棚空腔４４を形成し、前記靴棚天板と前記支持板とは、側辺の接続網と湾曲部により、格納腔を形成する。格納腔の中に、オゾン放出器を設置し、オゾン放出器がケースのトップの内側のコントローラと接続する。【選択図】図２
0003221712.tif 000002
【実用新案登録請求の範囲】
【請求項１】
ケースと、二つのドアと、を備え、
それぞれのドアがケースの相対する両側に設置し、ドアとケースとは接続部品により連結し、
少なくともひとつの靴棚部品を含み、それぞれの前記靴棚部品は上から下までケースの内腔に設置し、それぞれの前記靴棚部品は対応する回転軸によりケースの相対する両側の内壁と接続し、それぞれの回転軸が平行し、
前記靴棚部品が少なくとも二つの靴棚を含み、二つの前記靴棚が対称に回転軸に固定され、前記靴棚が靴棚台座と、靴棚天板と、支持板と、を備え、前記靴棚台座と支持板が相互垂直し、前記靴棚天板が靴棚台座と支持板との間に設置し、靴棚天板が支持板との間に一定の角度があって接続し、靴棚天板と靴棚台座との間に、靴を置く靴棚空間を形成し、
靴棚天板と支持板との側辺が接続網により接続し、前記靴棚天板と支持板のトップが湾曲部により接続し、前記靴棚天板と、支持板と、湾曲部との間に格納腔を形成し、
前記ケースのトップの内側に電源と接続するコントローラを設置し、前記格納腔にオゾン放出器を設置し、前記オゾン放出器がコントローラと接続し、前記オゾン放出器がオゾンを放出し、ケースの中の細菌と異臭を除去でき、
前記ケースの前側の表面にコントロールパネルを設置し、前記コントロールパネルには、開始ボタンと、回転ボタンと、閉じるボタンとを設置し、前記開始ボタンと、回転ボタンと、閉じるボタンとはそれぞれコントローラと接続し、
前記接続部品の中には、圧力センサを設置し、前記圧力センサがコントローラと接続することを特徴とする知能型家用靴箱。
【請求項２】
前記湾曲部の外の表面に接触センサを設置し、湾曲部の中には、遮る網と駆動装置とを設置し、前記接触センサと駆動装置とがそれぞれコントローラと接続し、前記接触センサが検出した信号をコントローラに送信し、コントローラにより、駆動装置の開くを制御し、前記遮る網が湾曲部の中から滑り出すことを駆動し、遮る網の一端が靴棚台座の一端と接続し、靴棚空腔を密封することを特徴とする請求項１に記載の知能型家用靴箱。
【請求項３】
前記靴棚台座の一端には限位ブロックを設置し、前記限位ブロックが回転軸の長さの方向に限位隙間を設置し、前記限位隙間は遮る網の一端の挿入のためにあることを特徴とする請求項２に記載の知能型家用靴箱。
【請求項４】
前記靴棚の中には、多数の仕切り板を設置し、それぞれの前記仕切り板が前記靴棚台座と靴棚天板とを固定し連結し、前記靴棚を多数の靴棚子空間に切り分けることを特徴とする請求項１に記載の知能型家用靴箱。
【請求項５】
前記ケースのトップの内側に熱風循環システムを設置し、前記熱風循環システムがコントローラと接続し、前記熱風循環システムが熱風を提供し、ケースの中の靴に乾燥処理を行うことを特徴とする請求項１に記載の知能型家用靴箱。
【請求項６】
前記ケースのトップの内側には、複数の照明灯を設置し、前記照明灯がケースのトップに平均に分布し、前記照明灯がコントローラと接続することを特徴とする請求項１に記載の知能型家用靴箱。
【請求項７】
前記コントロールパネルには照明灯スイッチボタンを設置し、前記照明灯スイッチボタンがコントローラと接続し、照明灯のオンとオフを制御することを特徴とする請求項６に記載の知能型家用靴箱。
【請求項８】
前記ドアとケースとの接続する所には、密封シールを設置し、前記密封シールは、外界の空気の中の水分と埃をケースに入ることを防止することを特徴とする請求項1に記載の知能型家用靴箱。
【考案の詳細な説明】
【技術分野】
【０００１】
本考案は、知能型家庭用品技術分野に関し、特に知能型家用靴箱に関するものである。
【背景技術】
【０００２】
靴箱の主な用途は使わない靴を陳列し、社会の進歩と人々の生活水準を向上することに伴って、現有の靴箱は功能や様式にも拘らず多種多様であり、早期の木製靴箱から現在の多種多様のタイプと材質の靴箱まで変化する。人々は靴箱がもっと多い機能を持つと期待すると、木製靴箱と、電子靴箱と、消毒靴箱とは、機能とタイプがそれぞれの靴箱が生まれる。
【０００３】
現在、多数の家庭が靴棚と外露の靴箱を使用し、靴を置くのは便利である。このような靴箱は伝統的な靴箱であり、靴の保存のためであり、靴をしまうことと装飾することの双方向作用をする。電子靴箱は伝統的な木製靴箱から発展してきた知能型靴箱であり、外観にはもっとお洒落で、材質が変えたし、消毒などの知能的な機能も持つ。
【０００４】
しかし、靴棚或いは外露の靴箱は、きれいではないし、靴の異臭が室内の空気を汚染し、占める面積が大きいし、靴箱の容量が小さいである。電子靴箱は室内の異臭汚染のことを解決できるが、容量が有限である。他には、雨天の場合に、外から室内に戻ると、靴には泥だらけになって、処理しないで直接に靴箱に置くと、室内の環境を汚染し、細菌を形成し、靴箱の放置環境に影響する。以上から見ると、現有の靴箱は、空間の利用率が低く、殺菌と異臭を除去することには効果が良くない問題がある。
【考案の概要】
【考案が解決しようとする課題】
【０００５】
本考案の目的は、知能型家用靴箱を提供し、現有の靴箱の空間の利用率が低く、殺菌と異臭を除去することには効果が良くないことを解決できる。
【課題を解決するための手段】
【０００６】
第一方面では、本考案が知能型家用靴箱を提供し、ケースと、二つのドアと、を備え、それぞれの前記ドアはケースの相対両側にあり、ドアは接続部品より前記ケースと接続し、少なくともひとつの靴棚部品を含めて、それぞれの靴棚部品が上から下まで、ケースの内腔に設置し、それぞれの靴棚部品が対応する回転軸よりケースの相対する両側の内壁と連結し、それぞれの回転軸が平行する。
【０００７】
前記靴棚部品には、少なくとも二つの靴棚を含み、二つの前記靴棚が対称に回転軸に固定し、前記靴棚が靴棚台座と、靴棚天板と、支持板とを備え、前記靴棚台座と支持板が相互垂直し、前記靴棚天板が靴棚台座と支持板との間に設置し、靴棚天板が支持板との間に一定の角度があって、靴棚天板と靴棚台座との間に、靴棚空腔を形成し、
【０００８】
靴棚天板と支持板との側辺が接続網により接続し、前記靴棚天板と支持板のトップが湾曲部により接続し、前記靴棚天板と、支持板と、湾曲部との間に格納腔を形成し、
【０００９】
前記ケースのトップの内側に電源と接続するコントローラを設置し、前記格納腔にオゾン放出器を設置し、前記オゾン放出器がコントローラと接続し、前記オゾン放出器がオゾンを放出し、ケースの中の細菌と異臭を除去でき
【００１０】
前記ケースの前側の表面にコントロールパネルを設置し、前記コントロールパネルには、開始ボタンと、回転ボタンと、閉じるボタンとを設置し、前記開始ボタンと、回転ボタンと、閉じるボタンとはそれぞれコントローラと接続し、
【００１１】
前記接続部品の中には、圧力センサを設置し、前記圧力センサがコントローラと接続する。
以上の技術方案から見ると、本考案が知能型家用靴箱を提供し、ケースと、接続部品よりドアとは連結する二つのドアと、を備える。ケースの中には、複数の回転軸より固定される靴棚部品を設置し、靴棚部品は、少なくとも二つの靴棚を含み、二つの靴棚が対称に回転軸に固定し、靴棚が靴棚台座と、靴棚天板と、支持板と、を備え、靴棚天板と靴棚台座の間に、靴棚空間を形成し、靴棚天板と支持板とは、側辺の連結網と湾曲部より格納腔を形成する。格納腔内にオゾン放出器があって、オゾン放出器がケースのトップの内側のコントローラと接続する。上記から見ると、回転軸には、対称する複数の靴棚部品を設置し、靴棚部品は回転軸に沿って回転し、靴箱の利用率を増加する。同時に、コントローラがオゾン放出器の開始と停止を制御し、すばしこくケースの中の細菌と異臭を除去でき、靴を置く靴棚部分は、網状の構造を採用し、全方位的に、靴棚上の靴へ殺菌と異臭を除去する処理を行う。したがって、本実施例が提供した知能型家用靴箱は、空間利用率を増加するだけではなく、殺菌と異臭を除去する効果が良く。
【図面の簡単な説明】
【００１２】
【図１】本考案の実施例に係る知能型家用靴箱の構成を示す図である。
【図２】本考案の実施例に係る靴棚部品を示す縦断面図である。
【図３】本考案の実施例に係るケースのトップを示す図である。
【考案を実施するための形態】
【００１３】
図１は、本考案の実施例に係る知能型家用靴箱の構成を示す図である。
図１を見ると、本考案実施例が提供した知能型家用靴箱は、ケース１と、二つのドア２と、を備え、それぞれのドア２がケース１の相対する両側に設置し、ドア２が接続部品３よりケース１と連結し、ドア２は、接続部品３を中心にケース１の側辺に沿って回転し、二つのドア２とケース１とが密封する空間を形成し、該当空間の中に、各種の靴を置く。
【００１４】
本考案の実施例が提供した靴箱は知能型家用靴箱であるために、ケース１の中のそれぞれの靴に殺菌と消臭処理を行う。したがって、該当靴箱は密封する特徴を持つ必要がある。同時に、外界の空気の中の水分と埃をケース１に入ることを防止するために、ケース１に置く靴を汚さないですむ。それに、本実施例の中に、ドア２とケース１の接続する所にシールを設置し、外界の空気の中の水分と埃をケース１に入ることを防止するためである。
【００１５】
本考案の実施例が提供した知能型家用靴箱は、同時に、多数の靴を置くことができ、靴箱の空間利用率を高める。そのために、ケース１の中に、多数の靴棚部品４を設置し、それぞれの靴棚部品４が上から下までケース１の内腔に設置し、それぞれの靴棚部品４が対応する回転軸５により、ケース１の相対する両側の内壁と接続し、隣り合う二つの回転軸５が相互平行する。
【００１６】
靴棚部品４はケース１の中に、回転軸５を軸の中心として回転し、隣り合う二つの靴棚部品４が回転するときに相互防げることを防止するために、隣り合う二つの回転軸５の間の距離が靴棚部品４自身の幅より広い。
【００１７】
靴棚部品４は少なくとも二つの靴棚を含み、二つの靴棚が対称に回転軸５に固定し、二つの靴棚の位置が相対し、背中合わせの設置方式と類似する。もちろん、靴棚の利用率を高めるために、靴棚部品４が三つの靴棚或いは四つの靴棚を含み、多数の靴棚の場合に、それぞれの靴棚が回転軸５に沿って、平均に分布すると良い、本実施例には、具体的に限定しない。
【００１８】
図２を見ると、靴棚が靴棚台座４１と、靴棚天板４２と、支持板４３と、を備え、靴棚台座４１が支持板４３と相互垂直し、靴棚台座４１が靴を置くためにあり、支えの役をたつ。靴棚天板４２が靴棚台座４１と支持板４３との間にあり、靴棚天板４２と支持板４３との間に一定の角度があって接続し、靴棚天板４２と靴棚台座４１との間に靴棚空腔４４を形成する。
【００１９】
ユーザの靴が靴棚空腔４４に置き、それぞれの靴を区別するために、本実施例の中に、仕切り板４０１で分割し、つまり、靴棚の中に多数の仕切り板４０１があって、それぞれの仕切り板４０１が靴棚台座４１と靴棚天板４２とを固定に連結し、靴棚空腔４４が複数の靴棚子空腔に分割するためで、それぞれの靴が独立の靴棚子空腔に置く。
【００２０】
本実施例が提供した知能型家用靴箱が殺菌と消臭処理を行え、殺菌と消臭効果がもっと良くなるために、靴を置く靴棚の部分構造が網状の構造を採用し、全方位的に、靴棚上の靴に殺菌と消臭処理を行う。
【００２１】
したがって、構造の安定性に影響しない場合に、靴棚天板４２と支持板４３が接続網４６によって接続し、靴棚天板４２と支持板４３のトップが湾曲部４７によって接続し、靴棚天板４２と、支持板４３と、湾曲部４７との間に格納腔４５を形成し、該当格納腔４５が半閉鎖構造である。
【００２２】
図３のように、ケース１のトップの内側には、電源と接続するコントローラ１１を設置し、コントローラ１１は、靴棚への自動制御功能を実現でき、該当コントローラ１１が外界の電源と接続し、自動的に靴棚の中の部品を制御し、相応操作を実行する。格納腔４５の中に、オゾン放出器を設置し、オゾン放出器がコントローラ１１と接続し、オゾン放出器がオゾンを放出し、ケース１の中の細菌と異臭が除去できる。
【００２３】
ドア２が閉じる状態にあると、コントローラ１１がオゾン放出器を制御し、オゾンを放出し始める、密封の状態下に、オゾンを利用して臭味分子を分解する。オゾンが消臭性能が良く、その強酸化性能により、臭味及び他の匂いを生じる有機或いは無機物質を速く分解し、オゾンを利用し、有機或いは無機物質に酸化分解し、生成物は異臭がなく、異臭がケース１から流れて外界の環境に影響することがないと保証する。本実施例がオゾンを利用して、靴を置くことにより生成した細菌と異臭を除去し、靴へ消毒処理を行う。
【００２４】
ケース１の前側の表面には、コントロールパネル１２を設置し、コントロールパネル１２には、開始ボタン１２１と、回転ボタン１２２と、閉じるボタン１２３とを設置し、開始ボタン１２１と、回転ボタン１２２と、閉じるボタン１２３とは、それぞれにコントローラ１１と接続する。
【００２５】
開始ボタン１２１は靴棚が知能状態に入るのを制御し、つまり、ケース１の中のオゾン放出器がオゾンを放出し、靴へ殺菌と消臭処理を行い、閉じるボタン１２３が靴棚が正常状態に入ることを制御し、即ち、オゾン放出器がオゾンを放出することを停止し、そのとき、靴棚が靴を置くという普通の機能があり、回転ボタン１２２が回転軸５の回転を制御し、ドア２を開く場合に、取りたい靴が目の前に置かないと、回転ボタン１２２により回転軸５を制御し、別の面の靴棚が目の前に回して、取りやすくなる。
【００２６】
靴棚空腔４４の入り口は開口であり、回転軸５を回転するときに、下にあるときに開口が下へ向き、靴が靴棚空腔４４から落ち易いである。したがって、以上を防止するために、本実施例の中に、湾曲部４７には、遮る網４８と駆動装置とを設置し、駆動装置がコントローラ１１と繋がって、遮る網４８が湾曲部４７から滑り出すことを駆動し、遮る網４８の一端が靴棚台座４１の一端と接続し、靴棚空腔４４が密封させる。
【００２７】
湾曲部４７の外表面には、接触センサを設置し、接触センサがコントローラ１１と接続する。ユーザが靴を靴棚空腔４４に置くと、手で接触センサを触り、接触センサが感応した信号をコントローラ１１に送信し、コントローラ１１が処理して、制御指令を生成し、駆動装置に送信し、駆動装置によって、湾曲部４７の中の遮る網４８を滑り出すと駆動し、靴棚空腔４４を密封させ、靴を落ちることを防止する。靴を取り出して、遮る網４８が開く場合に、接触センサを再び触る必要があって、検出した信号をコントローラ１１に送信し、処理して制御信号を生成し、駆動装置に送信し、駆動装置が反転させ、遮る網４８を引き返して、靴棚空腔４４の入り口が露出し、靴を取るのに便利になる。
【００２８】
遮る網４８の遮る効果がもっと良い、もっとしっかりになるために、本実施例の中に、靴棚台座４１の一端に限位ブロック４９を設置し、限位ブロック４９に、回転軸５の長さの方向に限位隙間を設置し、限位隙間が遮る網４８の一端の挿入に使う。
【００２９】
遮る網４８が湾曲部４７から滑り出し、活動端が限位ブロック４９の隙間に挿入し、遮る網４８の安定性を向上し、さらに、重い靴が遮る網４８と靴棚台座４１の接続口に沿って落ちることを防止する。
【００３０】
遮る網４８が網状構造を採用し、オゾン放出器が放出したオゾンが靴と良く接触し、殺菌と消臭効果が向上する。
【００３１】
オゾンを漏れることを防止し、室内の空気に影響することを防止するために、ドア２が開く一瞬の間に、オゾンを放出することを停止し、したがって、本実施例の中に、接続部品３の中に圧力センサを設置し、圧力センサがコントローラ１１と接続する。
【００３２】
ドア２が閉じる場合に、圧力センサが検出したデータが安定値であり、ドア２を開く一瞬の間に、圧力センサが検出したデータが変化し、もし該当データが予定の閾値を超えると、ドア２が開いてることを意味し、圧力センサがコントローラ１１に信号を送信し、コントローラ１１により、該当信号を処理し、制御指令を生成し、オゾン放出器に送信し、オゾン放出器がオゾンを放出することを停止することを制御する。再びドア２を閉めると、圧力センサが再びデータを検出し、該当データが予定の閾値と等しい場合に、現在ドア２が閉じる状態を意味し、コントローラ１１に信号を送信し、コントローラによって、該当信号を処理し、制御指令を生成し、オゾン放出器に送信し、オゾン放出器がオゾンを放出することを制御する。
【００３３】
靴箱にある靴が雨天に履く靴の可能性があるために、湿っぽい、或いは、靴が長時間に密封の空間に置くとカビが生えることを防止するために、本実施例の中に、ケース１のトップの内側に熱風循環システム１３があって、熱風循環システム１３がコントローラ１１と接続し、熱風循環システム１３が熱風を提供し、ケース１の中の靴に乾燥処理を行う。
【００３４】
熱風循環システム１３がオゾン放出器の仕事原理と同じで、コントローラ１１で制御し、それに、ドア２が開くと停止し、ドア２が閉じると開始する。
【００３５】
ユーザが夜のときに家出或いは帰宅の場合に、部屋のランプが付かなくて、靴を取り出す或いは置くために、ケース１のトップの内側に複数の照明灯１４を設置し、照明灯１４が平均にケース１のトップに分布し、照明灯１４がコントローラ１１と接続する。
【００３６】
照明灯１４のオンとオフがボタンにより制御し、コントロールパネル１２には、照明灯のスイッチボタン１２４を設置し、照明灯スイッチボタン１２４がコントローラ１１と接続し、照明灯１４のオンとオフを制御する。
【００３７】
照明灯スイッチボタン１２４を押して、コントローラ１１によって照明灯１４のオンを制御し、再び照明灯のスイッチボタンを押すと照明灯がオフになって、使用しやすいである。
【００３８】
以上の技術方案から見ると、本考案の実施例が提供した知能型家用靴箱がケース１と、ドア２が接続部品３によって連結した二つのドア２と、を備える。ケース１の中に、多数の回転軸５によって固定される靴棚部品４を設置し、靴棚部品４が少なくとも二つの靴棚を含み、二つの靴棚が対称に回転軸５に固定され、靴棚は、靴棚台座４１と、靴棚天板４２と、支持板４３と、を備え、靴棚天板４２と靴棚台座４１の間に、靴棚空腔４４を形成し、靴棚天板４２と支持板４３とは、側辺の接続網４６と湾曲部４７によって、格納腔４５を形成する。格納腔４５の中に、オゾン放出器を設置し、オゾン放出器がケース１のトップの内側に設置するコントローラ１１と接続する。回転軸５には、対称する多数の靴棚部品４を設置し、靴棚部品４が回転軸５に沿って回転し、靴棚の空間利用率を高める。同時に、コントローラ１１がオゾン放出器のオンとオフを制御し、すばしこくケース１の中の細菌と異臭を除去し、靴を置く靴棚の部分には網構造を採用し、全方位的に、靴棚上の靴に殺菌と消臭処理を行う。したがって、本実施例が提供した知能型家用靴箱は、空間の利用率を高めるだけでなくて、殺菌と消臭の効果がもっと良いである。
【図１】
0003221712.tif 000003
【図２】
0003221712.tif 000004
【図３】
0003221712.tif 000005